(57)【要約】      （修正有）【課題】真球状や立方体状等のグローブを備えた照明器具に使用されている水銀灯等の光源と容易に代替可能な、ＬＥＤを光源とする照明装置を提供する。【解決手段】複数個のＬＥＤを配置した基板と、前記ＬＥＤを覆うようにして前記基板上に配置されるレンズからなる発光ユニット１３を複数具備し、前記複数の発光ユニットをねじ込み口金１５が具備されたカバー２５に内包してなる照明装置において、複数の前記発光ユニットを前記ねじ込み口金を中心とする多角形の環状として形成することで、前記ねじ込み口金を中心とした周囲に向かって光を出射できることを特徴とする。【選択図】図２
0003173965.tif 000002
【実用新案登録請求の範囲】
【請求項１】
複数個のＬＥＤを配置した基板と、前記ＬＥＤを覆うようにして前記基板上に配置されるレンズからなる発光ユニットを複数具備し、前記複数の発光ユニットをねじ込み口金が具備されたカバーに内包してなる照明装置において、複数の前記発光ユニットを前記ねじ込み口金を中心とする多角形の環状として形成することで、前記ねじ込み口金を中心とした周囲に向かって光を出射できることを特徴とする照明装置。
【請求項２】
前記多角形の環状が、四角形であることを特徴とする請求項１に記載の照明装置。
【請求項３】
前記基板上に配置されるレンズにより、前記ＬＥＤからの出射光を前記ねじ込み口金方向に配光制御されることを特徴とする請求項1又は２に記載の照明装置。
【請求項４】
前記基板上に配置されるレンズにより、前記ＬＥＤからの出射光を前記ねじ込み口金と反対方向に配光制御されることを特徴とする請求項1又は２に記載の照明装置。
【請求項５】
請求項３に記載の照明装置を具備した灯具であって、前記照明装置のねじ込み口金が下側となるように備え付けられたことを特徴とする灯具。
【請求項６】
請求項４に記載の照明装置を具備した灯具であって、前記照明装置のねじ込み口金が上側となるように備え付けられたことを特徴とする灯具。
【請求項７】
前記灯具は、ほぼ真球状若しくは立方体状のグローブを備えたことを特徴とする請求項５又は６のいずれか１項に記載の灯具。  
【考案の詳細な説明】
【技術分野】
【０００１】
本考案は、道路、公園等の主に屋外で街路灯、防犯灯、庭園灯等として使用される照明装置に関する。
【背景技術】
【０００２】
従来、街路灯などにおいて、真球状や立方体状等のグローブを備えた照明器具があり、デザインがシンプルであるために好まれ多用されている。
そして、このようなグローブを備えた照明器具は、光源から放射される光を制御する部分がないため、天空を含めてかなり広範囲に照明光を放射する。
しかし、天空に対する照明光の放射は、障害光として問題となる場合もあり、所定方向以外へは光を出さない照明器具が要望される。特に天空に対して照明光が放射されるのは抑制される傾向にある。
【０００３】
一般に、このような街路灯等の照明灯に用いられる発光部としては、水銀灯などが用いられているが、最近では、消費電力の低減化や保守・管理に要する手間の削減などを図ることを目的として、ＬＥＤ（発光ダイオード）が光源として用いられている。また、ＬＥＤを用いた街路灯では、光の配光を制御し、所定方向へ光を放射するものが多く見られている。
【０００４】
ＬＥＤを発光部として使用した街路灯については、いくつかの発明が開示されている。例えば特許文献１には「複数個の白色発光ダイオードを配列して構成する白色発光ダイオード照明器具において、複数個の白色発光ダイオードが取り付けられた複数の平面プリント基板が、白色発光ダイオードが下面側に指向するように、しかも多方向に指向するように多角形状に配装された白色発光ダイオード屋外照明器具」が開示されている。
【０００５】
しかし、このような特許文献１に記載の照明器具は、街路灯の照明範囲を広げようとした照明器具としての発明であり、従来の水銀灯等を用いた街路灯を更新するにあたっては、支柱の上部に取り付ける照明器具をすべて交換しなければならず、設置費用が嵩むことになるという問題があった。
【先行技術文献】
【特許文献】
【０００６】
【特許文献１】特開２００４−２００１０２号公報
【考案の概要】
【考案が解決しようとする課題】
【０００７】
本考案は、これらの点に鑑み、特に真球状や立方体状等のグローブを備えた照明器具に使用されている水銀灯等の光源と容易に代替可能な、ＬＥＤを光源とする照明装置を提供する。
【課題を解決するための手段】
【０００８】
上記の課題を解決するために、本考案は、以下に掲げる構成とした。  複数個のＬＥＤを配置した基板と、前記ＬＥＤを覆うようにして前記基板上に配置されるレンズからなる発光ユニットを複数具備し、前記複数の発光ユニットをねじ込み口金が具備されたカバーに内包してなる照明装置において、前記複数の発光ユニットを前記ねじ込み口金を中心とする多角形の環状として形成することで、前記ねじ込み口金を中心とした周囲に向かって光を出射できることを特徴とする。
【考案の効果】
【０００９】
本考案に係る照明装置は、特に真球状や立方体状等のグローブを備えた照明器具に使用されている水銀灯等の光源と容易に代替可能であり、光を所定の方向へ放射するよう制御された照明装置を提供できる。
【図面の簡単な説明】
【００１０】
【図１】従来の真球状のグローブを備えた街路灯を示す図である。
【図２】実施形態１に係る照明装置で、（ａ）は照明装置の側面図、（ｂ）は照明装置の上面斜視図である。
【図３】実施形態１に係る照明装置に備えられる発光ユニットで、（ａ）は発光ユニットの正面図、（ｂ）は発光ユニットの側面図である。
【図４】本考案の照明装置に備えられるレンズの拡大断面図である。
【図５】本考案の照明装置に備えられるレンズの配光追跡図である。
【図６】実施形態１に係る照明装置を従来の真球状のグローブを備えた街路灯に用いた図である。
【図７】実施形態２に係る照明装置を従来の立方体状のグローブを備えた街路灯に用いた図である。
【考案を実施するための形態】
【００１１】
以下、本考案の実施の形態について、詳細に説明する。但し、図面は模式的なものであり、寸法比などは現実のものとは異なることに留意すべきである。従って、具体的な寸法比などは以下の説明を参酌して判断すべきものである。又、図面相互間においても互いの寸法の関係や比率が異なる部分が含まれていることはもちろんである。
また、以下に示す実施の形態は、この発明の技術的思想を具体化するための例示であって、この発明の実施の形態は、構成部品の材質、形状、構造、配置等を下記のものに特定するものではない。この発明の実施の形態は、要旨を逸脱しない範囲内で種々変更して実施できる。
【００１２】
図２は、本考案の実施形態１に係る照明装置１０を示す図であり、（ａ）は照明装置１０の側面図、（ｂ）は照明装置１０の上面斜視図である。図３は、実施形態１に係る照明装置に備えられる発光ユニット１３で、（ａ）は発光ユニット１３の正面図、（ｂ）は発光ユニット１３の側面図である。図４は、図３（ａ）の発光ユニット１３に備えられるレンズ１１ａ部分を拡大したもの（図３（ａ）のＡ-Ａ方向の拡大断面図）である。図５は、本考案の照明装置１０に備えられるレンズ１１ａの配光追跡図である。図６は、実施形態１の照明装置１０を真球状のグローブを備えた街路灯に用いた図である。
【００１３】
（実施形態１）
図２に示されるように、照明装置１０は、複数の発光ユニット１３が照明装置１０の側面に光を出射するよう環状に配置される。本実施形態においては、４つの発光ユニット１３を上面視から見て正方形状に配置している。また、当該発光ユニット１３を内包する側面が透光性を有するカバー２５を備え、当該カバー２５の長手方向の一端に、ねじ込み口金１５を備えている。
【００１４】
（発光ユニット）
図３（ｂ）に示すように、発光ユニット１３は、複数のＬＥＤ１６が実装基板１２上に配置され、複数のＬＥＤ１６のそれぞれに対応したレンズ１１ａを有するレンズユニット１１を備えている。当該レンズユニット１１は、レンズ部分１１ａがＬＥＤ１６を覆うように、実装基板１２にねじ１４によって固定されている。
【００１５】
（レンズ）
照明装置１０は、図１に示すような真球状のグローブを備えた街路灯に取り付けた際、天空への出射を抑制し、より多くの光を地面に向けて出射することを目的とするため、ＬＥＤ１６からの出射光をレンズ１１ａによって所定の方向へ出射するよう配光制御される。そのため、レンズ１１ａは以下の特徴を有している。
【００１６】
図４は、図３（ａ）の発光ユニット１３のレンズ部分１１ａを拡大したもの（図３（ａ）のＡ-Ａ方向の拡大断面図）である。レンズ１１ａは、透明なガラス、プラスチックまたは透光性を有する樹脂等によって形成される。
また、レンズ１１ａは、ＬＥＤ１６からの出射光を入射する入射部１９として、第1の入射面１７と第2の入射面１８を有し、第1の入射面１７から入射した光を全反射する反射部２３及びこれらの光を出射する出射部２２から形成される。
レンズ１１ａは、図４において、主に斜め下方向（矢印Ｂ方向）にＬＥＤ１６からの出射光を出射するよう制御する。
そのため、第2の入射面１８は、ＬＥＤ１６からの出射光をより多く集めやすくするよう、ＬＥＤ１６側に向けてやや膨らむ凸曲面形状としている。そして、前記第２の入射面１８と対する出射部の一部は、外方向に向かって膨らむ凸曲面形状となっている。
また、第１の入射面１７は、ＬＥＤ１６からの光を反射部２３に導くため、ＬＥＤ１６側にやや傾斜して形成されている。
【００１７】
図５に示す通り、第１の入射面１７に入射するＬＥＤ16の光は、第１の入射面１７で屈折し、略円弧状に形成される反射部２３に導かれる。そして、反射部２３で反射した光は出射部２２へと導かれ、主に出射部２２のうち平坦部２０から外部へ出射される。一方、第２の入射面１８に入射するＬＥＤ16の光は、第２の入射面１８で屈折し、幅方向に集光され、この光が出射部２２へと導かれ、主に出射部２２のうち凸曲面部２１から指向された光が外部へと出射される。
【００１８】
従来の真球状や立方体状等のグローブを備えた照明器具は、グローブ内の地面側にねじ込み口金が備え付けられていることが多く、レンズ１１ａを用いずに照明装置１０を取り付けた場合、地面と水平方向に光が出射されることになるが、レンズ１１ａにより、ＬＥＤ１６からの光を効率的に地面方向に向けて出射することが可能となる。また、レンズ１１ａを用いずにＬＥＤからの光を地面方向に出射しようとする場合、例えばＬＥＤ１６を搭載した実装基板１２を地面方向に傾斜させることでＬＥＤ１６の光を地面方向へ向けて出射することもできるが、この場合は実装基板１２を地面に対し垂直に配置した場合と比較し、実装基板１２の傾斜幅の分、照明装置１０自体の幅を大きくしなければならないという欠点を有する。照明装置１０の幅は、グローブの開口幅より小さくしなければ、支柱に取り付けてもグローブを被せることができなくなるからである。このように、レンズ１１ａにより、照明装置１０をグローブの開口幅に合わせた大きさにでき、図６に示す通り、ＬＥＤ１６からの出射光を地面へ向けて効率的に出射することが可能となる。
【００１９】
（実施形態２）
図７は、本考案の実施形態２に係る照明装置１０を従来の立方体状のグローブを備える街路灯に用いた図である。実施形態２に係る照明装置１０は、実施形態１の照明装置と比較し、図２（ａ）において、レンズユニット１１を上下逆にして基板１１に備えたもの、または、発光ユニット１３自体を上下逆に備えたものである。言い換えると、図５に示したレンズ１１ａの向きを上下逆となるように照明装置１０に備えたものである。
すなわち、実施形態１の照明装置１０では、ＬＥＤ１６からの出射光をレンズ１１ａにより、ねじ込み口金１５方向へ放射するように制御したが、実施形態２の照明装置１０では、ＬＥＤ１６からの出射光をレンズ１１ａにより、ねじ込み口金１５と反対方向へ放射するように制御したものである。このようにすることで、図７に示したように、ねじ込み口金１５を上向きにして取付ける従来の街路灯等においても、ＬＥＤ１６からの出射光を効率的に地面方向へ放射することが可能となる。
【符号の説明】
【００２０】
１０    照明装置１１    レンズユニット  １１ａ  レンズ  １２    実装基板  １３    発光ユニット  １４    ねじ  １５    ねじ込み口金１６    ＬＥＤ  １７    第１の入射面  １８    第２の入射面１９    入射部２０    平坦部２１    凸曲面部２２    出射部２３    反射部２５    カバー  ３０    グローブ  ３１    水銀灯  ３５    光の向き   
【図１】
0003173965.tif 000003
【図２】
0003173965.tif 000004
【図３】
0003173965.tif 000005
【図４】
0003173965.tif 000006
【図５】
0003173965.tif 000007
【図６】
0003173965.tif 000008
【図７】
0003173965.tif 000009